(57)【要約】【課題】燃焼排ガス中のＣＯ2又はＨ2Ｓの除去を、コンパクトでかつ省エネルギーな回収装置で除去できる、吸収液、吸収液を用いたＣＯ2又はＨ2Ｓ除去装置及び方法を提供する。【解決手段】ガス中のＣＯ2又はＨ2Ｓを吸収する吸収液を、分子内に１級、２級、３級の窒素を２つ以上又は全て有するアミン化合物または、その混合物を含んで構成する。また、前記アミン化合物に加えて、窒素を環内に有する環状アミン系化合物を助剤として含んで構成する。【選択図】        なし【特許請求の範囲】
【請求項１】
ガス中のＣＯ2又はＨ2Ｓを吸収する吸収液が、分子内に１級、２級、３級の窒素を２つ以上又は全て有するアミン化合物または、その混合物を含むことを特徴とする吸収液。
【請求項２】
ガス中のＣＯ2又はＨ2Ｓを吸収する吸収液が、分子内に１級、２級、３級の窒素を２つ以上又は全て有するアミン化合物である下記式（Ｉ）〜（VII）のいずれか一つもしくは
混合物を含むことを特徴とする吸収液。
【化１】
2006150298.tif 000037
【化２】
2006150298.tif 000038
【化３】
2006150298.tif 000039
【化４】
2006150298.tif 000040
【化５】
2006150298.tif 000041
【化６】
2006150298.tif 000042
【化７】
2006150298.tif 000043
ここで、式（Ｉ）〜（VII）中、Ｒ1、Ｒ2、Ｒ3、Ｒ4、Ｒ5は、−ＣiＨjＯkＮ
l（ここで、ｉ＝０〜５、ｊ＝１〜１１、ｋ＝０〜５、ｌ＝０〜５である。）である。
【請求項３】
下記式（III）、(VI)、（VII）で示されるように、環内に３級の窒素を有するアミン化
合物を少なくとも１種含むことを特徴とする請求項１記載の吸収液。
【化８】
2006150298.tif 000044
【化９】
2006150298.tif 000045
【化１０】
2006150298.tif 000046
【請求項４】
下記式（III）〜（VII）で示されるように、環から分岐する置換基に１級の窒素を有するアミン化合物を少なくとも１種含むことを特徴とする請求項１又は２記載の吸収液。
【化１１】
2006150298.tif 000047
【化１２】
2006150298.tif 000048
【化１３】
2006150298.tif 000049
【化１４】
2006150298.tif 000050
【化１５】
2006150298.tif 000051
【請求項５】
ガス中のＣＯ2又はＨ2Ｓを吸収する吸収液に含まれる主剤が、請求項１〜４に記載のアミン化合物であるとき、窒素を環内に有する環状アミン系化合物を助剤として含むことを特徴とする吸収液。
【請求項６】
ガス中のＣＯ2又はＨ2Ｓを吸収する吸収液に含まれる主剤が請求項１〜４に記載のアミン化合物であるとき、下記式（VIII）、(IX)で示されるようなジアミン系助剤又はトリ
アミン系助剤を少なくとも一種の助剤として含むことを特徴とする吸収液。
【化１６】
2006150298.tif 000052
【化１７】
2006150298.tif 000053
ここで、式（VIII）、(IX)中、Ｒ6、Ｒ7、Ｒ8、Ｒ10、Ｒ11、Ｒ12は、−ＣaＨbＯ
c（ここで、ａ＝０〜５、ｂ＝１〜１１、ｃ＝０〜５である。）であり、Ｒ9、Ｒ13は、−ＣpＨq（ここで、p＝１〜４、ｑ＝８である。）である。
【請求項７】
ＣＯ2又はＨ2Ｓを含有するガスと吸収液とを接触させてＣＯ2又はＨ2Ｓを除去する吸収塔と、ＣＯ2又はＨ2Ｓを吸収した溶液を再生する再生塔と、再生塔でＣＯ2又はＨ2Ｓを除去して再生した溶液を吸収塔で再利用するＣＯ2又はＨ2Ｓ除去装置であって、
請求項１〜６のいずれか一つの吸収液を用いてなることを特徴とするＣＯ2又はＨ2Ｓ除去装置。
【請求項８】
ＣＯ2又はＨ2Ｓを含有するガスと吸収液とを接触させてＣＯ2又はＨ2Ｓを除去する吸収塔と、ＣＯ2又はＨ2Ｓを吸収した溶液を再生する再生塔と、再生塔でＣＯ2又はＨ2Ｓを除去して再生した溶液を吸収塔で再利用するＣＯ2又はＨ2Ｓ除去方法であって、
請求項１〜６のいずれか一つの吸収液を用いてＣＯ2又はＨ2Ｓを除去することを特徴とするＣＯ2又はＨ2Ｓ除去方法。
【発明の詳細な説明】
【技術分野】
【０００１】
本発明は燃焼排ガス等のガス中に含まれるＣＯ2 （二酸化炭素）又はＨ2Ｓ（硫化水素）を除去する吸収液、該吸収液を用いたＣＯ2又はＨ2Ｓ除去装置及び方法に関する。
【背景技術】
【０００２】
近年、地球の温暖化現象の原因の一つとして、ＣＯ2 による温室効果が指摘され、地球環境を守る上で国際的にもその対策が急務となってきた。ＣＯ2 の発生源としては、化石燃料を燃焼させるあらゆる人間の活動分野に及び、その排出抑制への要求が一層強まる傾向にある。これに伴い大量の化石燃料を使用する火力発電所などの動力発生設備を対象に、ボイラの燃焼排ガスをアルカノールアミン水溶液等と接触させ、燃焼排ガス中のＣＯ2 を除去し、回収する方法、及び回収されたＣＯ2 を大気へ放出することなく貯蔵する方法が精力的に研究されている。また、ＣＯ2 （二酸化炭素）以外にＨ2Ｓ（硫化水素）等の酸性ガスを除去することが提案されている。
【０００３】
前記アルカノールアミンとしては、モノエタノールアミン（ＭＥＡ）、トリエタノールアミン、Ｎ−メチルジエタノールアミン（ＭＤＥＡ）、ジイソプロパノールアミン、ジグリコールアミンなどを挙げることができるが、通常モノエタノールアミン（ＭＥＡ）が好んで用いられる。また、これらのアルカノールアミンに吸収助剤として例えばピペラジン等の環状アミンを用いることも提案されている（特許文献１）。
【０００４】
【特許文献１】特許第３２３３８０９号公報
【発明の開示】
【発明が解決しようとする課題】
【０００５】
しかしながら、大量のＣＯ2を回収する場合には、できるだけ少ないエネルギーで回収できる吸収液と装置が、望まれている。これを可能とする為には、吸収液循環量の低減と、吸収したＣＯ2を解離させるのに必要な熱量の低減が必要である。
【０００６】
その為には、（１）飽和吸収容量が大きい、（２）吸収速度が大きい、（３）解離反応熱が小さい、という条件を同時に満たす吸収液の実現が切望されている。
【０００７】
本発明は、前記問題に鑑み、燃焼排ガス中のＣＯ2又はＨ2Ｓの除去を、少ないエネルギーで除去できる、吸収液、該吸収液を用いたＣＯ2又はＨ2Ｓ除去装置及び方法を提供することを課題とする。
【課題を解決するための手段】
【０００８】
上述した課題を解決するための本発明の第１の発明は、ガス中のＣＯ2又はＨ2Ｓを吸収する吸収液が、分子内に１級、２級、３級の窒素を２つ以上又は全て有するアミン化合物または、その混合物を含むことを特徴とする。
【０００９】
第２の発明は、ガス中のＣＯ2又はＨ2Ｓを吸収する吸収液が、分子内に１級、２級、３級の窒素を２つ以上又は全て有するアミン化合物である下記式（Ｉ）〜（VII）のいずれ
か一つもしくは混合物を含むことを特徴とする。
【化１】
2006150298.tif 000002
【化２】
2006150298.tif 000003
【化３】
2006150298.tif 000004
【化４】
2006150298.tif 000005
【化５】
2006150298.tif 000006
【化６】
2006150298.tif 000007
【化７】
2006150298.tif 000008
ここで、式（Ｉ）〜（VII）中、Ｒ1、Ｒ2、Ｒ3、Ｒ4、Ｒ5は、−ＣiＨjＯkＮl
（ここで、ｉ＝０〜５、ｊ＝１〜１１、ｋ＝０〜５、ｌ＝０〜５である。）である。
【００１０】
第３の発明は、第１の発明において、下記式（III）、(VI)、（VII）で示されるように
、環内に３級の窒素を有するアミン化合物を少なくとも１種含むことを特徴とする吸収液にある。
【化８】
2006150298.tif 000009
【化９】
2006150298.tif 000010
【化１０】
2006150298.tif 000011
【００１１】
第４の発明は、第１の発明において、下記式（III）〜（VII）で示されるように、環から分岐する置換基に１級の窒素を有するアミン化合物を少なくとも１種含むことを特徴とする吸収液にある。
【化１１】
2006150298.tif 000012
【化１２】
2006150298.tif 000013
【化１３】
2006150298.tif 000014
【化１４】
2006150298.tif 000015
【化１５】
2006150298.tif 000016
【００１２】
第５の発明は、ガス中のＣＯ2又はＨ2Ｓを吸収する吸収液に含まれる主剤が、第１〜４の発明に記載のアミン化合物であるとき、窒素を環内に有する環状アミン系化合物を助剤として含む事を特徴とする吸収液にある。
【００１３】
第６の発明は、ガス中のＣＯ2又はＨ2Ｓを吸収する吸収液に含まれる主剤が、第１〜４の発明に記載のアミン化合物であるとき、下記式（VIII）、(IX)で示されるようなジア
ミン系助剤又はトリアミン系助剤を少なくとも一種の助剤として含む事を特徴とする吸収液にある。
【化１６】
2006150298.tif 000017
【化１７】
2006150298.tif 000018
ここで、式（VIII）、(IX)中、Ｒ6、Ｒ7、Ｒ8、Ｒ10、Ｒ11、Ｒ12は、−ＣaＨbＯ
c（ここで、ａ＝０〜５、ｂ＝１〜１１、ｃ＝０〜５である。）であり、Ｒ9、Ｒ13は、−ＣpＨq（ここで、p＝１〜４、ｑ＝８である。）である。
【００１４】
第７の発明は、ＣＯ2又はＨ2Ｓを含有するガスと吸収液とを接触させてＣＯ2又はＨ2Ｓを除去する吸収塔と、ＣＯ2又はＨ2Ｓを吸収した溶液を再生する再生塔と、再生塔でＣＯ2又はＨ2Ｓを除去して再生した溶液を吸収塔で再利用するＣＯ2又はＨ2Ｓ除去装置であって、第１〜６の発明のいずれか一つの吸収液を用いてなることを特徴とするＣＯ2又はＨ2Ｓ除去装置にある。
【００１５】
第８の発明は、ＣＯ2又はＨ2Ｓを含有するガスと吸収液とを接触させてＣＯ2又はＨ2Ｓを除去する吸収塔と、ＣＯ2又はＨ2Ｓを吸収した溶液を再生する再生塔と、再生塔でＣＯ2又はＨ2Ｓを除去して再生した溶液を吸収塔で再利用するＣＯ2又はＨ2Ｓ除去方法であって、第１〜６の発明のいずれか一つの吸収液を用いてＣＯ2又はＨ2Ｓを除去することを特徴とするＣＯ2又はＨ2Ｓ除去方法にある。
【発明の効果】
【００１６】
本発明によれば、（１）飽和吸収容量が大きい、（２）吸収速度が大きい、（３）解離反応熱が小さい、という条件を同時に満たす化合物を吸収液とするので、吸収液循環量の低減と、吸収したＣＯ2を解離させるのに必要な熱量の低減が図れる。吸収液循環量が低減できると、措置がコンパクトになるだけでなく、解離させるのに必要な熱量が少なくて済む。また、循環量が同じであっても、吸収液の解離熱そのものが低減できると、少ないエネルギーで回収が可能となる。
【発明を実施するための最良の形態】
【００１７】
以下、この発明につき図面を参照しつつ詳細に説明する。なお、この実施形態、実施例によりこの発明が限定されるものではない。また、下記実施形態、実施例における構成要素には、当業者が容易に想定できるもの、あるいは実質的に同一のものが含まれる。
【００１８】
［発明の実施形態］
本発明の第１の実施形態にかかる、ガス中のＣＯ2又はＨ2Ｓを吸収する吸収液が、分子内に１級、２級、３級の窒素を２つ以上又は全て有するアミン化合物または、その混合物を含むことを特徴とする。
【００１９】
本発明の第２の実施形態にかかるガス中のＣＯ2又はＨ2Ｓを吸収する吸収液は、分子内に１級、２級、３級の窒素を２つ以上又は全て有するアミン化合物である下記式（Ｉ）〜（VII）のいずれか一つもしくは混合物を含むものを選定する。
【化１８】
2006150298.tif 000019
【化１９】
2006150298.tif 000020
【化２０】
2006150298.tif 000021
【化２１】
2006150298.tif 000022
【化２２】
2006150298.tif 000023
【化２３】
2006150298.tif 000024
【化２４】
2006150298.tif 000025
ここで、式（Ｉ）〜（VII）中、Ｒ1、Ｒ2、Ｒ3、Ｒ4、Ｒ5は、−ＣiＨjＯkＮl
（ここで、ｉ＝０〜５、ｊ＝１〜１１、ｋ＝０〜５、ｌ＝０〜５である。）である。
【００２０】
アミン化合物を用いたＣＯ2等の酸性ガス吸収反応においては、一般に、窒素原子が反応活性点として振舞うが、その役割は、例えばＣＯ2と結合してカルバメートイオンを形成する、あるいはプロトン化する等のように、複数存在する。本発明の吸収液で用いられる化合物は、特性の異なる複数の窒素原子を１つの分子内で含有することにより、酸性ガス吸収反応において必要とされる窒素原子の役割を、効率的に実現するという特徴を持つ。
【００２１】
このことは、従来行われている第二・第三成分の添加による酸性ガス吸収反応促進の方法に比べ、常に構成分子の最適混合比を保つことができるという効果がある。
【００２２】
すなわち、本発明の吸収液で用いられる化合物において、特性の異なる各窒素原子は以下のように働く。まず、１級の窒素原子はＣＯ2と結合してカルバメートイオンを形成する役割を担い、初期の吸収速度の向上に寄与する。次に、２級の窒素原子は、結合したＣＯ2を重炭酸イオンＨＣＯ3-に転換する役割を担い、反応後半の速度向上に寄与する。一方、３級の窒素原子は、重炭酸イオンＨＣＯ3-と対を成してプロトン化する。この重炭酸イオンＨＣＯ3-の大量生成により、解離反応熱の低減と飽和吸収容量の増大に寄与する。
【００２３】
このように、一連の吸収反応が１つの分子内で順次進行していくことができるため、反応途中の化学種の拡散が律速とならずに反応を終えることができる。
【００２４】
また、ＣＯ2吸収反応に直接寄与していない時の各種窒素原子は、アルカリ緩衝液として働く場合もある。
【００２５】
本発明の第３の実施形態にかかるガス中のＣＯ2又はＨ2Ｓを吸収する吸収液は、下記式（III）、(VI)、（VII）で示されるような環内に3級の窒素を有するアミン化合物を少なくとも１種含むことを特徴とする。
【００２６】
【化２５】
2006150298.tif 000026
【化２６】
2006150298.tif 000027
【化２７】
2006150298.tif 000028
ここで、式中、（III）、(VI)、（VII）中Ｒ1、Ｒ2、Ｒ3、Ｒ4、Ｒ5は、−ＣiＨ
jＯkＮl（ここで、ｉ＝０〜５、ｊ＝１〜１１、ｋ＝０〜５、ｌ＝０〜５である。）である。
【００２７】
上記化合物において、環内の３級の窒素原子は、重炭酸イオンＨＣＯ3-と対を成してプロトン化する。この重炭酸イオンＨＣＯ3-の大量生成により、解離反応熱の低減と飽和吸収容量の増大に寄与する。
【００２８】
ここで、本発明で用いられる式（III）にかかる吸収液は、例えば1-(2-アミノエチル)
ピペラジン（AEPZ）等を例示することができる。
【００２９】
ここで、本発明で用いられる式（VI）にかかる吸収液は、例えば(1-メチル)(2-アミノ
)-(5メチルアミノ)ピロリジン等を例示することができる。
【００３０】
ここで、本発明で用いられる式（VII）にかかる吸収液は、例えば(1-メチル)(2-アミノ
エチルアミノ)ピロリジン等を例示することができる。
【００３１】
また、本発明の第４の実施形態にかかるガス中のＣＯ2又はＨ2Ｓを吸収する吸収液は、下記式（III）〜（VII）で示されるような環から分岐する置換基に1級の窒素を有するア
ミン化合物を少なくとも１種含むことを特徴とする。
【化２８】
2006150298.tif 000029
【化２９】
2006150298.tif 000030
【化３０】
2006150298.tif 000031
【化３１】
2006150298.tif 000032
【化３２】
2006150298.tif 000033
ここで、式（III）〜（VII）中、Ｒ1、Ｒ2、Ｒ3、Ｒ4、Ｒ5は、−ＣiＨjＯkＮl
（ここで、ｉ＝０〜５、ｊ＝１〜１１、ｋ＝０〜５、ｌ＝０〜５である。）である。
【００３２】
上記化合物において、環から分岐する置換基の１級の窒素原子はＣＯ2と結合してカルバメートイオンを形成する役割を担い、初期の吸収速度の向上に寄与する。
【００３３】
ここで、本発明で用いられる式（III）で表されるアミン化合物としては、例えば1-(2-
アミノエチル)ピペラジン（AEPZ）等を例示することができる。
【００３４】
ここで、本発明で用いられる式（IV）で表されるアミン化合物としては、例えば(2-ア
ミノ)-(5ジメチルアミノ)ピロリジン等を例示することができる。
【００３５】
ここで、本発明で用いられる式（Ｖ）で表されるアミン化合物としては、例えば2-（ア
ミノエチル（メチルアミノ））ピロリジン等を例示することができる。
【００３６】
ここで、本発明で用いられる式（VI）で表されるアミン化合物としては、例えば(1-メ
チル)(2-アミノ)-(5メチルアミノ)ピロリジン等を例示することができる。
【００３７】
ここで、本発明で用いられる式（VII）で表されるアミン化合物としては、例えば(1-メ
チル)(2-アミノエチルアミノ)ピロリジン等を例示することができる。
【００３８】
本発明の第５の実施形態にかかるガス中のＣＯ2又はＨ2Ｓを吸収する吸収液は、ガス中のＣＯ2又はＨ2Ｓを吸収する吸収液に含まれる主剤が、上記アミン化合物であるとき、窒素を環内に有する環状アミン系化合物を助剤として含んでいてもよい。
【００３９】
本発明の第６の実施形態にかかるガス中のＣＯ2又はＨ2Ｓを吸収する吸収液は、ガス中のＣＯ2又はＨ2Ｓを吸収する吸収液に含まれる主剤が上記アミン化合物であるとき、下記式（VIII）(IX)で示されるようなジアミン系助剤又はトリアミン系助剤を少なくとも
一種の助剤として含んでいてもよい。
【化３３】
2006150298.tif 000034
【化３４】
2006150298.tif 000035
ここで、式（VIII）、(IX)中、Ｒ6、Ｒ7、Ｒ8、Ｒ10、Ｒ11、Ｒ12は、−ＣaＨbＯ
c（ここで、ａ＝０〜５、ｂ＝１〜１１、ｃ＝０〜５である。）であり、Ｒ9、Ｒ13は、−ＣpＨq（ここで、p＝１〜４、ｑ＝８である。）である。
【００４０】
ここで、本発明の燃焼排ガスとの接触に用いる前記主剤（Ｉ）〜（VII）と助剤（VIII）、（IX）の水溶液（以下、「吸収液」とも称す）の濃度は、通常主剤の濃度が１５〜７０％の範囲、より好ましくは３０〜６０重量％の範囲とするのが好ましい。
【００４１】
一方、主剤に対する助剤の濃度としては、通常１．０〜６５重量％の範囲、より好ましくは１．５〜３０重量％の範囲とするのが好ましい。なお、主剤と助剤との両者の合計濃度が高くなると粘度が上昇するなどの制限から、両者の合計濃度が７０重量％以下で使用することが好ましい。
【００４２】
本発明において、燃焼排ガスとの接触時の吸収液の温度は、通常３０〜７０℃の範囲である。また本発明で用いる吸収液には、必要に応じて腐食防止剤、劣化防止剤などが加えられる。
【００４３】
さらに、本発明における大気圧下とは、燃焼排ガスを供給するためブロワなどを作用させる程度の大気圧近傍の圧力範囲は含まれるものである。
【００４４】
本発明により処理されるガスとしては、例えば石炭ガス化ガス、合成ガス、コークス炉ガス、石油ガス、天然ガス等を挙げることができるが、これらの限定されるものではなく、ＣＯ2又はＨ2Ｓ等の酸性ガスを含むガスであれば、いずれのガスでもよい。
【００４５】
本発明の燃焼排ガス中のＣＯ2又はＨ2Ｓを除去する方法で採用できるプロセスは、特に限定されないが、ＣＯ2を除去する除去装置の一例について図１を参照しつつ説明する。
【００４６】
図１はＣＯ2除去装置の概略図である。図１に示すように、燃焼排ガスは、ＣＯ2含有ガス供給口４を通って、吸収塔１へ導かれる。吸収塔１に押し込められた該ガスは、ノズル７から供給される一定濃度の主剤と助剤とを含有するＣＯ2吸収液と充填部２で向流接触させられ、ガス中のＣＯ2は、吸収液により吸収除去され、ガスは、脱ＣＯ2ガス排出口５から排出される。吸収塔１に供給される吸収液は、ＣＯ2を吸収し、熱交換器１４、加熱器８に送られ、加熱されて再生塔１５に送られる。該再生塔１５では、吸収液は、ノズル１６より充填部１７を経て、下部に流れる。この間にＣＯ2が脱離して吸収液が再生する。再生した吸収液は、ポンプ９によって熱交換器１４、吸収液冷却器２６を経て、吸収液供給口６から吸収塔１に戻される。一方、再生塔１５の上部において、吸収液から分離されたＣＯ2は、ノズル１８から供給される還流水と接触し、再生塔還流冷却器２３により冷却され、還流ドラム２１にてＣＯ2に同伴した水蒸気が凝縮した還流水と分離し、回収ＣＯ2ライン２２よりＣＯ2回収工程に導かれる。還流水は、還流水ポンプ２０で再生塔１５に送られる。なお、この実施の形態では、あくまでその概要を説明するものであり、付属する機器を一部省略して説明している。
【実施例】
【００４７】
以下、実施例に基づき、本発明についてさらに詳細に説明する。
【００４８】
（実施例１〜３、比較例１）
反応熱計測装置（カルベ型熱量計）のサンプル側，参照側の各ガラス製反応容器に１−（２−アミノエチル）ピペラジン（ＡＥＰＺ）の３０重量％水溶液５ｇを各々入れ，恒温槽温度を４０℃に設定した。温度を４０℃に保持しながら，試験ガスを大気圧下５０ｍｌ／分の流速でサンプル側、参照側の吸収液にバブリングにより接触させた。試験ガスとしては，サンプル側にはＣＯ2：１０モル％，Ｎ2：９０モル％の組成を有する４０℃のモデルガスを、参照側にはＮ2：１００モル％の４０℃のガスを用いた。試験ガスを通気し続け、サンプル側と参照側で発生する熱量の時間微分値（Ｗ）を測定し，それらの差（ヒートフロー）の時間変化からＣＯ2吸収反応に伴う発熱量（ｋＪ）を算出した。ヒートフロー値がピークの０．５％以下の値まで収束した時点をＣＯ2吸収反応の終了（飽和）点と判断し，通気開始から終了までの時間を反応時間（ｍｉｎ）とした。反応終了後のＣＯ2吸収液に含まれるＣＯ2をＣＯ2分析計（全有機体炭素計）を用いて測定し，吸収液のＣＯ2飽和吸収量（ｍｏｌＣＯ2／ｋｇ吸収液）を算出した。反応終了までの発熱量、反応時間、ＣＯ2飽和吸収量から，ＣＯ2吸収反応速度（ｍｏｌＣＯ2／ｍｉｎ）、ＣＯ2吸収反応熱（ｋＪ／ｍｏｌＣＯ2）を算出した。
【００４９】
上記ＡＥＰＺ（１−（２−アミノエチル）ピペラジン）のほか、比較例としてモノエタノールアミン（ＭＥＡ），４−（アミノメチル）ピペリジン，１−（２−ヒドロキシエチル）ピペラジンの各３０重量％水溶液に対しても同様の試験を行った。
【００５０】
前記実施例及び比較例にかかるＣＯ2飽和吸収量、ＣＯ2吸収反応速度、ＣＯ2吸収反応熱の結果を、表１に示す。
【００５１】
【表１】
2006150298.tif 000036
【００５２】
表１に示すように、１級，２級，３級の窒素を含むＡＥＰＺ（１−（２−アミノエチル）ピペラジン）は，ＭＥＡ（比較例１）と同等のＣＯ2飽和吸収量性能，ＣＯ2吸収速度性能を有しながら優れたＣＯ2吸収反応熱性能を示した。また１級、２級の窒素を含む４−（アミノメチル）ピペリジンは，飽和吸収容量および吸収速度に優れた結果となった。さらに２級，３級の窒素を含む１−（２−ヒドロキシエチル）ピペラジンは、３級の窒素の効果でＣＯ2吸収反応熱性能に優れた結果となった。
【産業上の利用可能性】
【００５３】
以上のように、本発明にかかる吸収液によれば、吸収液循環量の低減と、吸収したＣＯ2を解離させるのに必要な熱量の低減が図れ、各種ボイラ等のプラント設備の排ガス処理に用いて適している。
【図面の簡単な説明】
【００５４】
【図１】ＣＯ2除去装置の概略図である。
【符号の説明】
【００５５】
１  吸収塔
１５  再生塔
【図１】
2006150298.tif 000054